(57)【要約】【課題】ユーザーの頭部全体を被せるようなウィッグネットとともに使用する場合においても、ウィッグの装着状態にひずみを生じにくいウィッグホールダーを提供する。【解決手段】このウィッグホールダー１は、ウィッグネット２を介してユーザーの頭部３にウィッグ４を装着可能なものであって、ウィッグネット２を装着した頭部３に巻きつける長尺帯状のバンド本体１１と、バンド本体１１の長尺方向の中央付近にあって、頭部３の後側に当接可能なメッシュ部分１２と、バンド本体１１の左右の表裏両面にあって、頭部３の前側で長さ調整可能な面ファスナー１３とを備えているので、ユーザーの頭部３全体を被せるようなウィッグネット２とともに使用する場合においても、ウィッグ４の装着状態にひずみを生じにくい。したがって、安心してコスプレを楽しむことができる。【選択図】図１
0003228570.tif 000002
【実用新案登録請求の範囲】
【請求項１】
ウィッグネットを装着したユーザーの頭部に、ウィッグをさらに装着するためのウィッグホールダーであって、
前記頭部に巻回可能な長尺帯状のバンド本体と、
前記バンド本体の長尺方向の中央付近に設けられ、前記頭部の後側に当接可能なメッシュ部分と、
前記バンド本体の長尺方向の前記メッシュ部分を外した部位に設けられ、前記頭部の前側で該バンド本体の長さを調整可能な面ファスナーと
を備えていることを特徴とするウィッグホールダー。
【請求項２】
前記メッシュ部分は、前記バンド本体の前記頭部の後側に対応する領域に設けられていることを特徴とする請求項１記載のウィッグホールダー。
【請求項３】
前記面ファスナーは、前記バンド本体の長尺方向の前記メッシュ部分を外したほぼ全ての部位に設けられていることを特徴とする請求項１又は２記載のウィッグホールダー。
【考案の詳細な説明】
【技術分野】
【０００１】
本考案は、ウィッグホールダーに関するものであって、特にコスプレに使用するウィッグのインナーに好適である。
【背景技術】
【０００２】
一般的に、ユーザーがウィッグを被る際の自毛の処理は、地毛（髪）を後頭部の丸みに合わせて均等にまとめるとともに、頭部全体を被せるようなウィッグネットを使用して行っている。
【考案の概要】
【考案が解決しようとする課題】
【０００３】
しかし、頭部全体を被せるようなウィッグネットを使用すると、髪に対する抑止が十分ではなく、ウィッグネット自体が保有する伸縮性が災いし、髪に対する抑止が緩んでしまう。そして、後頭部にまとめた髪が前後または左右にずれやすく、図４（ａ）のＸ部分に示すように、ウィッグ４の装着状態にひずみを生じてしまうこととなる（例えば特許文献１の従来技術参照）。
【０００４】
本考案は上記事情に鑑みてなされたものであり、その目的とするところは、ユーザーの頭部全体を被せるようなウィッグネットとともに使用する場合においても、ウィッグの装着状態にひずみを生じにくいウィッグホールダーを提供することである。
【課題を解決するための手段】
【０００５】
本考案は、ウィッグネットを装着したユーザーの頭部に、ウィッグをさらに装着するためのウィッグホールダーであって、前記頭部に巻回可能な長尺帯状のバンド本体と、前記バンド本体の長尺方向の中央付近に設けられ、前記頭部の後側に当接可能なメッシュ部分と、前記バンド本体の長尺方向の前記メッシュ部分を外した部位に設けられ、前記頭部の前側で該バンド本体の長さを調整可能な面ファスナーとを備えていることを特徴とするものである。
【０００６】
本考案によれば、前記頭部に巻回可能な長尺帯状のバンド本体と、前記バンド本体の長尺方向の中央付近に設けられ、前記頭部の後側に当接可能なメッシュ部分と、前記バンド本体の長尺方向の前記メッシュ部分を外した部位に設けられ、前記頭部の前側で該バンド本体の長さを調整可能な面ファスナーとを備えているので、ユーザーの頭部全体を被せるようなウィッグネットとともに使用する場合においても、ウィッグの装着状態にひずみを生じにくい。したがって、安心してコスプレを楽しむことができる。
【０００７】
請求項２記載の考案のように、前記メッシュ部分は、前記バンド本体の前記頭部の後側に対応する領域に設けられていることが好ましい。
【０００８】
請求項２記載の考案によれば、前記メッシュ部分は、前記バンド本体の前記頭部の後側に対応する領域に設けられているので、ユーザーの頭部の後側に当接させたときに、バンド本体の通気性を確保できる。
【０００９】
請求項３記載の考案のように、前記面ファスナーは、前記バンド本体の長尺方向の前記メッシュ部分を外したほぼ全ての部位に設けられていることが好ましい。
【００１０】
請求項３記載の考案によれば、前記面ファスナーは、前記バンド本体の長尺方向の前記メッシュ部分を外したほぼ全ての部位に設けられているので、ユーザーの頭部の前側でバンド本体の長さを調整することになり、その調整がしやすい。その結果、バンド本体をユーザーの頭部に確実に固定できる。
【考案の効果】
【００１１】
本考案によれば、前記頭部に巻回可能な長尺帯状のバンド本体と、前記バンド本体の長尺方向の中央付近に設けられ、前記頭部の後側に当接可能なメッシュ部分と、前記バンド本体の長尺方向の前記メッシュ部分を外した部位に設けられ、前記頭部の前側で該バンド本体の長さを調整可能な面ファスナーとを備えているので、ユーザーの頭部全体を被せるようなウィッグネットとともに使用する場合においても、ウィッグの装着状態にひずみを生じにくい。したがって、安心してコスプレを楽しむことができる。
【図面の簡単な説明】
【００１２】
【図１】本考案の一実施形態に係るウィッグホールダーの全体構成を示す斜視図である。
【図２】本ウィッグホールダーを展開した状態での六面図であって、（ａ）は正面図及び背面図、（ｂ）は左側面図及び右側側面図、（ｃ）は平面図及び底面図である。
【図３】本ウィッグホールダーの使用手順を示す説明図であって、（ａ）はステップ１、（ｂ）はステップ２、（ｃ）はステップ３、（ｄ）はステップ４である。
【図４】本ウィッグホールダーの使用時の効果を示す説明図であって、（ａ）は本ウィッグホールダーの不使用時、（ｂ）は本ウィッグホールダーの使用時である。
【考案を実施するための形態】
【００１３】
図１は本考案の一実施形態に係るウィッグホールダー（以下、本ウィッグホールダーという。）１の全体構成を示す斜視図、図２はそれを展開した状態での六面図であって、（ａ）は正面図及び背面図、（ｂ）は左側面図及び右側側面図、（ｃ）は平面図及び底面図である。
【００１４】
本ウィッグホールダー１は、図１および図２（ａ）〜（ｃ）に示すように、ウィッグネット２を装着したユーザーの頭部３に、ウィッグ４をさらに装着するためのものであって、頭部３に巻回可能な長尺帯状のバンド本体１１と、バンド本体１１の長尺方向の中央付近に設けられ、頭部３の後側（後頭部）に当接可能なメッシュ部分１２と、バンド本体１１の長尺方向のメッシュ部分（図２（ａ）中のブロック状の網掛け部分）１２を外した部位に設けられ、頭部１２の前側（前頭部）でバンド本体１１の長さを調整可能な面ファスナー（図２中の点状の網掛け部分）１３とを備えている。
【００１５】
本ウィッグホールダー１は、ウィッグ４のインナーとして使用されるものであるから、その色や製法は任意に選択できるが、ここでは全体がベージュ色の縫製品であるとする。
【００１６】
バンド本体１１の素材は、例えばポリエステル繊維の糸を編んだ、いわゆるカットソーとよばれるものであって、適度な可撓性、伸縮性、通気性、耐久性を有し、ふにゃふにゃでソフトな肌ざわりが得られるものを使用する。
【００１７】
バンド本体１１の寸法は、平均的なユーザー（女性）の頭部３に余裕をもって巻きつけることができるように、そのバンド本体１１を展開した状態において、幅６ｃｍ程度で長さ６０ｃｍ程度に設定されており、その両端には適宜アールがとられている。
【００１８】
メッシュ部分１２の素材も、バンド本体１１と同様のものであるが、孔（メッシュ）が大きく、通気性がさらによいものを使用する。孔の形状は、図２（ａ）では、図示の便宜上、ブロック状にて示しているが、円形状、格子状、ハチの巣状などであってもよい。
【００１９】
メッシュ部分１２は、バンド本体１１を展開した状態において、そのバンド本体１１の長尺方向のほぼ中央に、正面視が長方形となるように形成されており、ここでの寸法は、幅６ｃｍ程度で長さ１５ｃｍ程度に設定されている。すなわち、メッシュ部分１２は、バンド本体１１のほぼ全幅にわたり、バンド本体１１のほぼ１／４の長さにわたるものであって、ユーザーの頭部３の後側に対応する領域に設けられている。したがって、ウィッグ４の装着時に、特に蒸れやすいユーザーの頭部３の後側に当接させて、そこでの通気性を十分に確保できるようになっている。
【００２０】
面ファスナー１３は、バンド本体１１のメッシュ部分１２の左右にそれぞれ形成されている。ここでは、ともにアール部分を含めて、幅６ｃｍ程度で長さ２２ｃｍ程度の寸法に設定されており、バンド本体１１の長尺方向のメッシュ部分１２を外したほぼ全ての部位に設けられている。ただし、必ずしも左右対称にする必要はない。
【００２１】
面ファスナー１３は、例えばフック状に起毛された側とループ状に密集して起毛された側とからなっている。図２（ａ）では、明らかではないが、フック状に起毛された側をバンド本体１１の正面（表）側、ループ状に密集して起毛された側をバンド本体１１の背面（裏）側に形成している。ただし、表裏逆にしてもよい。
【００２２】
そして、バンド本体１１の裏側を表側に押し付けると、それだけで貼り付くようになっており、貼り付けたり剥がしたりすることが自在にできる。したがって、ユーザーの頭部３の前側でバンド本体１１の長さを調整することができて、その調整がしやすい。その結果、バンド本体１１をユーザーの頭部３に確実に固定できる。
【００２３】
面ファスナー１３は、上記のものに代えて、フックとループ両方が植え込まれており、フック面とループ面との区別のないタイプを使用してもよい。その場合には、表裏で同じ面ファスナー１３を採用することができる。さらには、マッシュルーム状に起毛されていて結合力が強いクリックタイプや、鋸歯状のシャークバイト（鮫歯）タイプなどを使用してもよい。
【００２４】
ウィッグホールダー１は、上記のように構成されているので、販売時や購入後の不使用時などには、全体を小さく折りたたんで袋（不図示。）などに収容できて便利である。
【００２５】
ウィッグネット２は、これもウィッグ４のインナーとなる伸縮性ネットであって、ここでは、ユーザーが地毛５をまとめてアップした状態で、頭部３全体に被るものである。
【００２６】
ウィッグ４は、例えばコスプレ用のものであって、ユーザーの地毛５とは、まったく異なる髪型や、色合いのものを使用することが多い。例えばユーザーの地毛５が黒髪のロングヘアである場合に、ウィッグ４としてピンク色のショートカットのものを使用するなどである。このため、ユーザーは、ウィッグネット２を使用して、地毛５が外からまったく見えないようにしているのが通常である。
【００２７】
図３は本ウィッグホールダー１の使用手順を示す説明図であって、（ａ）はステップ１、（ｂ）はステップ２、（ｃ）はステップ３、（ｄ）はステップ４である。以下、図３（ａ）〜（ｄ）を参照して、その使用手順を説明する。なお、本ウィッグホールダー１の使用前には、全体を小さく折りたたんで袋などに収容しており、使用に際してその袋などから本ウィッグホールダー１を取り出すものとする。
【００２８】
ステップ１：図３（ａ）に示すように、ユーザーが地毛５をまとめて、頭部３の後側にアップした状態で、ウィッグネット２を被る。このときには、ウィッグネット２を被った頭部３の後側が、アップした地毛５の反発力で少し盛り上がっている。
【００２９】
ステップ２：図３（ｂ）に示すように、ユーザーがウィッグホールダー１のバンド本体１１の中央のメッシュ部分１２を地毛５の押さえたい場所（頭部３の後側）に当てる。そして、頭部３の前側で、バンド本体１１の左右両端を両手で軽く引っ張りながら、バンド本体１１を頭部３に巻き付ける。
【００３０】
ステップ３：図３（ｃ）に示すように、ユーザーが地毛５の生え際部分（頭部３の前側）にウィッグホールダー１のバンド本体１１の左右両端がくるように、バンド本体１１の位置を調整しながら、その表裏両面にある面ファスナー１３同士を押し付けて貼り合わせる。このときには、ウィッグホールダー１のバンド本体１１の弾性力で押圧されて、ウィッグネット２を被った頭部３の後側の盛り上がった箇所がほぼなくなっている。
【００３１】
ステップ４：図３（ｄ）に示すように、ユーザーがウィッグ４を被って、その装着を完成する。
【００３２】
図４は本ウィッグホールダー１の使用時の効果を示す説明図であって、（ａ）は本ウィッグホールダーの不使用時、（ｂ）は本ウィッグホールダーの使用時である。以下、図４（ａ）（ｂ）を参照して、その効果を説明する。
【００３３】
上述したように、一般的に、ユーザーの頭部３全体を被せるようなウィッグネット２を使用すると、髪に対する抑止が十分ではなく、ウィッグネット２自体が保有する伸縮性が災いし、髪に対する抑止が緩んでしまう。そして、図４（ａ）のＸ部分に示すように、ユーザーの頭部３の後側にまとめた髪が前後または左右にずれやすく、ウィッグ４の装着状態にひずみを生じてしまうこととなる。
【００３４】
これに対し、本ウィッグホールダー１によれば、ウィッグネット２を装着した人の頭部３に巻きつけるバンド本体１１と、バンド本体１１の中央付近にあって、ユーザーの頭部３の後側に当接可能なメッシュ加工部分１２と、バンド本体１１の左右にあって、ユーザーの頭部３の前側で長さ調整可能な面ファスナー１３とを備えているので、ユーザーの頭部３全体を被せるようなウィッグネット２とともに使用する場合においても、図４（ｂ）のＹ部分に示すように、ウィッグ４の装着状態にひずみを生じにくい。したがって、安心してコスプレを楽しむことができる。
【００３５】
なお、上記実施形態では、バンド本体１１は長尺帯状で所定寸法のものであるが、ユーザーの頭部３に巻回可能であれば、その他の任意の形状・寸法であってもよい。
【００３６】
また、上記実施形態では、メッシュ部分１２は、所定寸法の長方形状であるが、ユーザーの頭部３の後側に当接可能な形状・寸法であれば、その他の任意の形状・寸法であってもよい。
【００３７】
また、上記実施形態では、バンド本体１１の長尺方向のメッシュ部分１２を除く部位全体に面ファスナー１３を備えているが、ユーザーの頭部３の前側で長さ調整可能なものであれば、必ずしもバンド本体１１の長尺方向のメッシュ部分１２を除く部位全体に面ファスナー１３を備えている必要はなく、例えばバンド本体１１の表裏両面の任意の箇所だけに面ファスナー１３を備えていてもよい。
【００３８】
また、上記実施形態では、地毛５の髪型がロングヘアである女性が、コスプレ用のショートカットの髪型のウィッグ４を被っている場合を例示しているが、地毛５とウィッグ４とは、いずれも任意の髪型であってもよい。また、コスプレだけでなく、通常使用するウィッグにも使用できる。また、女性用だけでなく、男性用のウィッグにも使用できる。
【符号の説明】
【００３９】
１  ウィッグホールダー
１１  バンド本体
１２  メッシュ部分
１３  面ファスナー
２  ウィッグネット
３  頭部
４  ウィッグ
５  地毛（髪）
【先行技術文献】
【特許文献】
【００４０】
【特許文献１】実開平３−８５４２３号公報
【図１】
0003228570.tif 000003
【図２】
0003228570.tif 000004
【図３】
0003228570.tif 000005
【図４】
0003228570.tif 000006